(57)【要約】
【課題】　指先や伸ばした爪の部分に衝撃が加わることなく、キーボードの操作性を高めることができるための指サックを提供する。
【解決手段】　爪部を露出させることができる開放孔を有するとともに、外壁に突起部を形成する。
【選択図】　図２
0003100390.tif 000002
【実用新案登録請求の範囲】
【請求項１】
　キーボードの入力作業時に、指先に装着して用いられる指サックであって、筒状の本体と、該本体の一端に形成された指先挿通口と、他端に形成された爪部開放孔とを有するとともに、該本体の外側壁に突起部が形成された指サック。
【請求項２】
　突起部が筒状の本体の外周側壁に形成された環状突起である請求項１記載の指サック。
【請求項３】
　キーボードの入力作業時に、指先に装着して用いられる指サックであって、筒状の本体と、該本体の一端に形成された指先挿通孔と、他端に形成された爪部開放孔とを有し、前記爪部開放孔は爪部の先端外側に向けてテーパー状にカットされるとともに、前記テーパー部の先端部側における本体外側壁に突起部が形成された指サック。
【請求項４】
　突起部がテーパー状にカットされた爪部開放孔に略平行になるように、筒状本体の外周側壁に形成された環状突起である請求項３記載の指サック。
【請求項５】
　キーボードの入力作業時に、指先に装着して用いられる指サックであって、筒状の本体と、該本体の一端に形成された指先挿通孔と、他端に形成された爪部開放孔とを有し、前記爪部開放孔は爪部の先端部側に向けてテーパー状にカットされるとともに、前記本体の外側壁には突起部が形成され、該突起部の高さが前記指先挿通孔から爪部解放孔側に向けて漸次高く形成されるようにし、かつ前記テーパー部と前記突起部との交差部に顎状の突出部を形成したことを特徴とする指サック。
【考案の詳細な説明】
【技術分野】
【０００１】　本考案は、キーボードのキー等の打込み作業時に、手の指先に装着し、指先の保護および女性作業者の爪の損傷を防止する指サックに関するものである。
【背景技術】
【０００２】　特にコンピュータ機器等におけるキーボードのキーを打込む作業では、作業者が手の指先のみをキーボードのキーに叩くようにして、スピーディーに連続して打込作業を行うのが一般的である。【０００３】　このように叩くようにしてキーを打込むと、その衝撃が指先に伝わり、指を痛める場合があった。また、女性の作業者では、爪を長く伸ばしている場合が多く、爪が指先から突出していたりすると、爪がキーボードに当たり入力操作が不安定になったり、爪を傷めたり、あるいは爪に施したネイルアートによる装飾品が取れてしまうおそれがあった。【０００４】　従来、指先の衝撃を和らげる手段として、キーボードのキーの操作面に当接される先端部に、キー打込時の衝撃力を吸収する緩衝部を設置するとともに、指保護サックの緩衝部には、爪保護空室を設置した指保護サックが提案されている（実用新案登録第３０３１８３８号）。
　また、指サックの先端に肉厚部を設け、指先部を挿入した際、長爪が没入できる爪保護穴を設けた指サックも提案されている（実開平６−４２２１２号）。
【考案の開示】
【考案が解決しようとする課題】
【０００５】　ところで、上記、前者の指保護サックでは、指先に伝わる衝撃を緩衝させることはできるが、指先のみをキーボードのキーに叩くようにして打込む場合には、爪保護空室を設置しても、結局はその衝撃が爪に伝わり、爪を傷めたり、爪に施したネイルアートによる装飾品が取れてしまうおそれがある。
　また、後者の指サックでは、爪を保護することも可能であるが、伸ばした爪の長さと爪保護穴の長さとがマッチングしていないと、キー打込時の衝撃力が爪に伝わるおそれがある。また、爪全体を爪保護穴に挿入するために、爪に施したネイルアートによる装飾品が取れてしまうおそれもある。【０００６】　本考案は、前記課題に鑑みてなされたもので、キーボードのキーを打込む作業は、作業者が手の指先の腹の部分でキーボードのキーに叩くようにして、指先に伝わる衝撃を緩衝させるとともに、伸ばした爪の部分に衝撃が加わることなく、キーボードの操作性が改善された指サックを提供することを目的とする。
【課題を解決するための手段】
【０００７】　本考案は、前記課題を解決するために、請求項１の考案ではキーボードの入力作業時に、指先に装着して用いられる指サックであって、筒状の本体と、該本体の一端に形成された指先挿通孔と、他端に形成された爪部開放孔とを有するとともに、該本体の外側壁に突起部を形成する手段とした。【０００８】　請求項２の考案では、突起部が筒状の本体の外周側壁に形成された環状突起としたことを特徴としている。【０００９】　請求項３の考案では、前記課題を解決するために、キーボードの入力作業時に、指先に装着して用いられる指サックであって、筒状の本体と、該本体の一端に形成された指先挿通孔と、他端に形成された爪部開放孔とを有し、前記爪部開放孔は爪部の先端部側に向けてテーパー状にカットされるとともに、前記テーパー部の先端部側における本体外側壁に突起部を形成する手段とした。【００１０】　請求項４の考案では、突起部がテーパー状にカットされた爪部開放孔に略平行になるように、筒状本体の外周側壁に形成された環状突起としたことを特徴としている。【００１１】　請求項５の考案では、前記課題を解決するために、キーボードの入力作業時に、指先に装着して用いられる指サックであって、筒状の本体と、該本体の一端に形成された指先挿通孔と、他端に形成された爪部開放孔とを有し、前記爪部開放孔は爪部の先端部側に向けてテーパー状にカットされるとともに、前記本体の外側壁には突起部が形成されている。そして該突起部の高さが前記指先挿通孔から爪部開放孔側に向けて漸次高く形成されるようにし、かつ前記テーパー部と前記突起部との交差部に顎状の突起部を形成する手段とした。
【考案の効果】
【００１２】　請求項１の指サックによれば、筒状の指サック本体の一端に爪部開放孔が形成され、かつ、該本体の外側壁には突起部が形成されているので、この突起部を介し、指先の腹の部分でキーボードのキーに叩くようにして、指先に伝わる衝撃を緩衝させることができる。また、前記突起部の形成により、伸ばした爪先が隣接する他のキーに当たることがないから、爪に衝撃が加わることもなく、キーボードの操作性も改善される。【００１３】　請求項２の指サックによれば、突起部が筒状の本体の外周側壁に形成された環状突起としたことを特徴としているので、伸ばした爪先が隣接する他のキーに当たることがないから、爪に衝撃が加わることもなく、キーボードの操作性も改善される。【００１４】　請求項３の指サックによれば、筒状の指サック本体の一端にテーパー状にカットされた爪部開放孔が形成され、かつ、前記テーパー部の先端部側における本体外側壁に突起部が形成されているので、爪３の全体を開放孔１０ｂから開放することができる。同時に、該突起部を介して指先の腹の部分でキーボードのキーを叩くようにして、指先に伝わる衝撃を緩衝させることができる。また、前記突起部の形成により、伸ばした爪先が隣接する他のキーに当たることがないから、爪に衝撃が加わることもなく、キーボードの操作性も改善される。さらに、テーパー状の爪部開放孔が形成されているので、長く伸ばした爪部全体が、上記指サック本体から露出させることができ、爪に施したネイルアートによる装飾品が取れてしまうおそれがない。【００１５】　請求項４の指サックによれば、突起部がテーパー状にカットされた爪部開放孔に略平行になるように、筒状本体の外周側壁に形成された環状突起としたことを特徴としているので、キーボードの操作性が改善される。さらに、テーパー状の爪部開放孔が形成されているので、長く伸ばした爪部全体が、上記指サック本体から露出させることができ、爪に施したネイルアートによる装飾品が取れてしまうおそれがない。【００１６】　請求項５の指サックによれば、筒状の指サック本体の一端にテーパー状にカッ　トされた爪部開放孔が形成されるとともに、本体の外側壁には、爪部開放孔に向けて漸次高くなるようにした突起部を形成し、該突起部と前記テーパー部の交差部に顎状の突出部を形成したので、この顎状の突出部を介し、この指先の腹の部分でキーボードのキーに叩くようにして打込み作業を行うことができる。したがって、指先に伝わる衝撃を緩衝させることができ、指先を痛めることがなく、同時にキーボードの操作性が改善できる。また、上記突出部により、伸ばした爪先が隣接する他のキーに当たることもなく、爪に衝撃が加わることもない。さらに、テーパー状の爪部開放孔が形成されているので、長く伸ばした爪部全体が、上記指サック本体から露出させることができ、爪に施したネイルアートによる装飾品が取れてしまうおそれがない。
【実施例１】
【００１７】　以下、本考案の実施例１を図面と共に説明する。図１ａは本考案に係る指サックであり、図１ｂは、その側面図である。また、図２は、本考案に係る指サックを指に装着し、キーボードのキーを打込んでいる状態図である。１は、指サックの本体であり、筒状に形成され、一端に指先の挿通孔１ａと、他端に開放孔１ｂを有している。開放孔１ｂにより、指サックから長爪３を自由状態で開放することができる。そして４は、本体１の外側壁に形成された突起部である。指サックは、ゴ厶などの弾性材で形成されている。前記突起部の高さは、指先の中心軸線Ｘ１がキーボードのキー面とほぼ並行、もしくは若干角度を形成して打込んだ時に、キーボードが奥に押し込まれても、突起部がキーボードのキー面６に追従できる高さに形成されている。この指サックを指先に装着する場合には、指先の腹部５に対応する位置に前記突起部４が位置するように装着すればよい。
　なお、突起部４の形状は、断面矩形であってもよく、また、指サックの本体の外周に形成された環状突起であってもよい。要するに、前記突起部は、少なくとも指サック本体のキーボードのキーと当接する外側壁に突起が形成されていることが重要である。【００１８】　本考案に係る指サックは、キーボードのキーを打込む作業において、指サック本体の外側壁に形成された突起部を介し、指先の腹の部分でキーボードのキーに叩くようにして打ち込むので、指先に伝わる衝撃を緩衝させることができ、指先を痛めることがない。また、前記突起部の形成により、指先の中心軸線Ｘ１がキーボードのキー面とほぼ平行な状態で打込むことができるから、伸ばした爪先が隣接する他のキーに当たることもなく、爪に衝撃が加わることもない。
　なお、図７に示すように、親指に装着する場合には、指サック本体に形成された突起部４が親指の側面（親指の腹部と背中部との中間部）に対応するようにすればよい。
【実施例２】
【００１９】　図３乃至図４は、本考案に係る他の実施例を示し、図３は、本考案に係る指サックを指先に装着しキーボードのキーを打込んでいる状態図である。１０は、指サックの本体で、筒状に形成され、両端をテーパー状にカットされている。１０ａは指先の挿通孔であり、１０ｂは爪３の開放孔である。そして、４０は、前記テーパー部との先端部側における本体外側壁に形成された突起部であり、この突起部は、前記実施例１と同様に、その断面形状は任意に設定でき、また、指サックの本体の外周に形成された環状突起であってもよい。【００２０】　本実施例では、少なくとも開放孔１０ｂが爪３の先端部側に向けてテーパー状にカットされており、指サックを装着したときに、爪３の全体を開放孔１０ｂから開放することができるとともに、突起部４０をキーボードのキーに当接せしめることができる。また、この場合でも、指先の中心軸線Ｘ１とキーボードのキーが奥に押し込まれても、突起部がキーボードのキー面６に追従できる高さに形成されている。この指サックを指先に装着する場合には、指先の腹部５に対応する位置に前記突起部４０が位置するように装着すればよい。【００２１】　このように、本実施例による指サックによれば、指サック本体の外側壁に形成された突出部を介し、指先の腹の部分でキーボードのキーを叩くようにして打込み作業を行うものであり、指先に伝わる衝撃を緩衝させることができ、指先や爪を痛めることがなく、同時にキーボードの操作性を改善できる。また、長く伸ばした爪部全体を、上記指サック本体から露出させているので、爪に施したネイルアートによる装飾品が取れてしまうおそれがない。
【実施例３】図５乃至図６は、本考案の他の実施例を示し、図５は、本考案に係る指サックを指先に装着しキーボードを打込んでいる状態図である。１００は、指サックの本体であり、筒状に形成され両端はテーパー状にカットされている。１００ａは指先の挿通孔、１００ｂは爪３の開放孔であり、開放孔１００ｂが爪３の先端部に向けてテーパー状にカットされている。そして、４００は、本体１００の外側壁に形成された突起部であり、この突起部４００は、爪３の開放孔１００ｂがテーパー状にカットされ、かつ、指先の挿通孔１００ａから爪３の開放孔１００ｂにかけて、該突起部の高さが漸次高く形成されており、前記テーパー部と前記突起部との交差部に顎状の突出部４００ａを形成したことを特徴としている。すなわち、爪の開放端１００ｂの近傍に顎状の突出部４００ａが形成されている。この指サックは実施例１と同様にゴムなどの弾性の材料にて形成されている。この指サックを指先に装着する場合には、指先の腹部５に対応する位置に、前記突起部４００がくるように装着すればよい。【００２２】　そして実施例に係る指サックを装着して、キーボードを打込んだとき、指先の中心軸線Ｘ１がキーボードの面と僅かに傾斜角θを形成しているが、前記突起部の顎状の突出部４００ａがキーボードのキーに当接し、キーボードが奥に押し込まれても、前記突起部の顎状の突起部４００ａがキーボードのキー面６に追従できる高さに形成されている。【００２３】　本考案に係る指サックは、キーボードのキーを打ち込む作業において、指サック本体の開放孔近傍に形成された顎状の突出部を介し、この指先の腹の部分でキーボードのキーに叩くようにして打込み作業を行うものであり、指先に伝わる衝撃を緩衝させることができ、指先を痛めることがなく、同時にキーボードの操作性が改善できる。また、指先の中心軸線Ｘ１がキーボードのキー面に対して傾斜角θを有しているので、伸ばした爪先が隣接する他のキーにあたることもなく、爪に衝撃が加わることもない。
【図面の簡単な説明】
【００２４】
【図面１】
　本考案の実施例１を示す指サックであり、（ａ）はその正面図、（ｂ）は、側面図である。（ｃ）は、他の実施例に係る正面図である。（ｄ）は他の実施例に係る側面図である。
【図面２】
　本考案の実施例１を示す指サックの使用状態を示す断面図である。
【図面３】
　本考案の実施例２を示す指サックの使用状態を示す断面図である。
【図面４】
　本考案の実施例２を示す指サックであり、（ａ）はその縦断面図、（ｂ）は、そのＡ−Ａ側断面図である。（ｃ）は、他の実施例に係る正面図である。
【図面５】
　本考案の実施例３を示す指サックの使用状態を示す斜視図である。
【図面６】
　本考案の実施例３を示す指サックであり、（ａ）はその正面図、（ｂ）は、側面図である。
【図面７】
　本考案の実施例１を示す指サックを親指に適用したときの使用状態を示す斜視図である。
【符号の説明】
【００２５】　１、１０、１００　指サックの本体
　１ａ、１０ａ、１００ａ　指先の挿通孔
　１ｂ、１０ｂ、１００ｂ　開放孔
　３　　爪
　４，４’、４０，４０’、４００　突起
　４００ａ　顎状の突出部
　５　　指先の腹部
　６　　キーボードのキー面
　Ｘ１　指の中心軸線
　θ　　指の中心軸線とキーボードのキー面とのなす傾斜角
【図１（ａ）】
0003100390.tif 000003
【図１（ｂ）】
0003100390.tif 000004
【図１（ｃ）】
0003100390.tif 000005
【図１（ｄ）】
0003100390.tif 000006
【図２】
0003100390.tif 000007
【図３】
0003100390.tif 000008
【図４（ａ）】
0003100390.tif 000009
【図４（ｂ）】
0003100390.tif 000010
【図４（ｃ）】
0003100390.tif 000011
【図５】
0003100390.tif 000012
【図６（ａ）】
0003100390.tif 000013
【図６（ｂ）】
0003100390.tif 000014
【図７】
0003100390.tif 000015